(57)【要約】  整列して配列された複数の隣接する電極（２−５）と、電極(２−５) に接続されまたは接続可能であって電極の間に挟まれた組織部分を通る電気外科的電流の流れを誘導する電気外科的電流生成器（６）とを含む電気外科用の装置（１）である。前記生成器（６）は各電極(２−５)が一連の電極内の前の電極の電位より高い電位（Ｖ3−Ｖ5）になるように電極に電力を供給する（図２）。
2008521469.tif 000002
【特許請求の範囲】
【請求項１】
電気外科用の装置（１）であって、
順番に配列されたまたは配列するのに適した複数の隣接する電極(２−５；１４−２１；２２−２７)と、
前記電極(２−５；１４−２１；２２−２７)に接続されまたは接続可能であって電極の間に挟まれた組織部分を通る電気外科的電流の流れを誘導する電気外科的電流生成手段（６）と、
を備え、
前記電気外科的電流生成手段（６）は各電極(２−５；１４−２１；２２−２７)が一連の電極内の前の電極の電位より高い電位（Ｖ3−Ｖ5；Ｖ14−Ｖ21；Ｖ23−Ｖ27）を有するように前記電極に電力を供給するのに適している、
電気外科用の装置（１）。
【請求項２】
前記電極（２−５；２２−２７）は実質的に整列するように配列されまたは配列するのに適している、請求項１記載の電気外科用の装置（１）。
【請求項３】
前記電極(２−５；１４−２１；２２−２７)はいわゆる「櫛型電極」（１０；１３，２８）の一部である、請求項１または２記載の電気外科用の装置（１）。
【請求項４】
前記電気外科的電流生成手段（６）は複数の２次変圧器回路（７−９）を含み、前記各２次回路は隣接する電極の各対（２−３，３−４，４−５；１４/１５−１６，１６−１７／１８，１７／１８−１９，１９−２０／２１；２２−２３，２３−２４，２４−２５，２５−２６，２６−２７）に電力を供給するのに適している、先行請求項のどれかに記載の電気外科用の装置（１）。
【請求項５】
前記２次変圧器回路（７−９）は共通の１次回路（１１）から電力の供給を受ける、先行請求項のどれかに記載の電気外科用の装置（１）。
【請求項６】
前記電気外科的電流生成手段（６）は複数の電流生成器を含み、それぞれは隣接する電極の各対（２−３，３−４，４−５；１４/１５−１６，１６−１７／１８，１７／１８−１９，１９−２０／２１；２２−２３，２３−２４，２４−２５，２５−２６，２６−２７）に電力を供給するのに適している、先行請求項のどれかに記載の電気外科用の装置（１）。
【請求項７】
前に処置に用いた強さより大きな強さを有する電流パルスを前記電極(２−５；１４−２１；２２−２７)に供給するのに適した手段を含む、先行請求項のどれかに記載の電気外科用の装置（１）。
【請求項８】
前記電気外科的電流生成手段（６）は前記一連の電極の中間の電極（３，４；２３，２４，２５，２６）内に実質的に電流が流れないように前記電極（２−５；２２−２７）に電力を供給するのに適している、先行請求項のどれかに記載の電気外科用の装置（１）。
【請求項９】
前記電極（１４−２１）は二次元構成に配列されまたは配列するのに適している、先行請求項のどれかに記載の電気外科用の装置（１）。
【請求項１０】
前記電極（１４−２１）は３個の隣接電極のグループが実質的に二等辺三角形すなわち等辺三角形の頂点を定義するように配列される、１つ前の請求項に記載の電気外科用の装置（１）。
【請求項１１】
前記電極（１４−２１）は実質的に長方形の平面図を有する切除領域を定義するように配列される、請求項９または１０記載の電気外科用の装置（１）。
【請求項１２】
処置中に各電極（２−５；１４−２１；２２−２７）から送られる電流の強さを測定する測定手段（１００）を含む、先行請求項のどれかに記載の電気外科用の装置（１）。
【請求項１３】
前記測定手段（１００）は前記測定を連続的にまたは予め定義された時間間隔で行うのに適している、１つ前の請求項に記載の電気外科用の装置（１）。
【請求項１４】
前記測定手段（１００）が検出した対応する電流強さが予め定義されたしきい値より低いとき電極（２−５；１４−２１；２２−２７）を前記電流生成手段（６）から自動的に切り離すのに適した制御手段（１０１）を含む、請求項１２または１３記載の電気外科用の装置（１）。
【請求項１５】
前記予め定義されたしきい値は予見されまたは到達する電流の最大値より予め設定された値だけ低い値である、１つ前の請求項に記載の電気外科用の装置（１）。
【請求項１６】
前記測定手段（１００）が測定した電流が予め設定された最小値より低いとき電極（２−５；１４−２１；２２−２７）を前記電流生成手段（６）から切り離すことを決定するのに適した手段（１０１，１０２−１０５）を含む、請求項１２から１５のどれかに記載の電気外科用の装置（１）。
【請求項１７】
電極（２−５；１４−２１；２２−２７）を組織（Ｔ）内に挿入しやすくするための手段（２９；３０）を含む、先行請求項のどれかに記載の電気外科用の装置（１）。
【請求項１８】
電極（２−５；１４−２１；２２−２７）を組織（Ｔ）内に挿入しやすくする前記手段は、組織内に挿入している間、電極（２−５；１４−２１；２２−２７）を実質的に平行な位置に保つのに適した滑りガイド（２９）を含む、１つ前の請求項に記載の電気外科用の装置（１）。
【請求項１９】
前記滑りガイド（２９）は、組織内に挿入している間、電極（２−５；１４−２１；２２−２７）が曲がるのを防ぐのに適している、請求項１７または１８記載の電気外科用の装置（１）。
【請求項２０】
前記滑りガイド（２９）は、それぞれが各電極（２−５；１４−２１；２２−２７）を受けるのに適した複数の座（２２１−２７１）を有する、請求項１８または１９記載の電気外科用の装置（１）。
【請求項２１】
電極（２−５；１４−２１；２２−２７）を組織（Ｔ）内に挿入しやすくする前記手段は操作員の指の保護部品（３０）を含む、請求項１７から２０のどれかに記載の電気外科用の装置（１）。
【請求項２２】
前記部品（３０）はそれぞれが指を受けるのに適した１対の要素（３１，３２）を含む、１つ前の請求項に記載の電気外科用の装置（１）。
【請求項２３】
前記各要素（３１，３２）は指の外形を実質的に再現する湾曲した輪郭を有する、１つ前の請求項に記載の電気外科用の装置（１）。
【請求項２４】
前記要素（３１，３２）は人差し指および中指をそれぞれ受けるのに適する、請求項２２または２３記載の電気外科用の装置（１）。
【請求項２５】
処置する組織内に電極（２−５；１４−２１；２２−２７）を挿入したときに手術に関係する下側の組織を刺して痛めるのを防ぐのに適した手段（３０）を含む、先行請求項のどれかに記載の電気外科用の装置（１）。
【請求項２６】
電気外科的処置を行う方法であって、順番に配列された複数の隣接する電極（２−５；１４−２１；２２−２７）を用いて、前記電極の間に挟まれた組織部分を通る電気外科的電流の流れを誘導し、
前記電極（２−５；１４−２１；２２−２７）への電力の供給は、各電極が一連の電極内の前の電極の電位より高い電位（Ｖ3−Ｖ5；Ｖ14−Ｖ21；Ｖ23−Ｖ27）を有するように行う、
電気外科的処置を行う方法。
【請求項２７】
前記電極（２−５；２２−２７）は実質的に整列するように配列されまたは配列するのに適している、請求項２６記載の電気外科的処置を行う方法。
【請求項２８】
前記電極(２−５；１４−２１；２２−２７)はいわゆる「櫛型電極」（１０；１３，２８）の一部である、請求項２６または２７記載の電気外科的処置を行う方法。
【請求項２９】
隣接する電極の各対（２−３，３−４，４−５；１４/１５−１６，１６−１７／１８，１７／１８−１９，１９−２０／２１；２２−２３，２３−２４，２４−２５，２５−２６，２６−２７）はそれぞれの２次変圧器回路（７−９）から電力の供給を受ける、請求項２６から２８のどれかに記載の電気外科的処置を行う方法。
【請求項３０】
前記２次変圧器回路（７−９）は共通の１次回路（１１）から電力の供給を受ける、１つ前の請求項に記載の電気外科的処置を行う方法。
【請求項３１】
隣接する電極の各対（２−３，３−４，４−５；１４/１５−１６，１６−１７／１８，１７／１８−１９，１９−２０／２１；２２−２３，２３−２４，２４−２５，２５−２６，２６−２７）はそれぞれの電気外科的電流生成器から電力の供給を受ける、請求項２６から３０のどれかに記載の電気外科的処置を行う方法。
【請求項３２】
処置の終わりに、前に処置に用いた強さより大きな強さの電流パルスを前記電極(２−５；１４−２１；２２−２７)に供給する、請求項２６から３１のどれかに記載の電気外科的処置を行う方法。
【請求項３３】
切除前の処置である、請求項２６から３２のどれかに記載の電気外科的処置を行う方法。
【請求項３４】
全体の配列は前記一連の電極の中間の電極（３，４；２３，２４，２５，２６）内に実質的に電流が流れないようにすることである、請求項２６から３３のどれかに記載の電気外科的処置を行う方法。
【請求項３５】
前記電極（１４−２１）は二次元構成に配列される、請求項２６から３４のどれかに記載の電気外科的処置を行う方法。
【請求項３６】
前記電極（１４−２１）は３個の隣接電極のグループが実質的に二等辺三角形すなわち等辺三角形の頂点を定義するように配列される、１つ前の請求項に記載の電気外科的処置を行う方法。
【請求項３７】
前記電極（１４−２１）は実質的に長方形の平面図を有する切除領域を定義するように配列される、請求項３５または３６記載の電気外科的処置を行う方法。
【請求項３８】
処置中に各電極（２−５；１４−２１；２２−２７）から送られる電流の強さを測定する、請求項２６から３７のどれかに記載の電気外科的処置を行う方法。
【請求項３９】
前記測定は連続的にまたは予め定義された時間間隔で行う、１つ前の請求項に記載の電気外科的処置を行う方法。
【請求項４０】
対応する電流強さが予め定義されたしきい値より低いとき電極（２−５；１４−２１；２２−２７）の電流の供給を自動的に中断する、請求項３８または３９記載の電気外科的処置を行う方法。
【請求項４１】
前記予め定義されたしきい値は予見されまたは到達する電流の最大値より予め設定された値だけ低い値である、１つ前の請求項に記載の電気外科的処置を行う方法。
【請求項４２】
前記測定電流が予め設定された最小値より低いとき電極（２−５；１４−２１；２２−２７）の電流の供給を自動的に中断する、請求項３８から４１のどれかに記載の電気外科的処置を行う方法。
【請求項４３】
請求項１から２５のどれかに記載の電気外科用の装置を用いる、請求項２６から４２のどれかに記載の電気外科的処置を行う方法。
【発明の詳細な説明】
【技術分野】
【０００１】
本発明は主として、１台以上の電流生成器に接続する複数の電極を用いた、一般に切除前に凝固処置を行うための電気外科的装置とその方法に関するものである。
【背景技術】
【０００２】
肝臓、脾臓、腎臓などの実質器官の切除処置中および処置後の出血を減らしまたは防ぐために１台以上の電流生成器を備える装置を用いる。これは一般に２００ｋＨｚから２ＭＨｚの範囲の使用周波数で、選択的に直列に２極モードで配列された複数の電極に電力を供給する。詳しく述べると、図１に略図で示すように、かかる配列では隣接する電極は電流生成器の対向する電極に接続される。図１では電流生成器をＧで示す。したがって、前記隣接電極の間に、電極の間の組織を通る電気外科的電流（例えば、図１にＩ1およびＩ2で示す）が生じ、これが中間の各電極Ｅに流れ込む。随意であるが、上に述べた構成は複数の別個の電極ではなく、いわゆる「櫛型」電極を用いてよい。かかる構成は、例えば傷ついたまたは病んだ生物組織を除去するための、特に腫瘍の肝切除のための、直線的なまたは多角形の切除を行うのに用いられる。
【発明の開示】
【発明が解決しようとする課題】
【０００３】
上に述べたように、電流生成器に接続される電極は２極給電モードなので、中間の各電極Ｅでは２つの隣接する組織区分内を電流が流れる。このため電極Ｅ自体の付近では電流密度が高くなるので、周囲の組織が急速に乾燥する可能性がある。乾燥が起こると電極付近の組織のインピーダンスが増加するので電流の継続的な流れが妨げられ、中間の電極Ｅと隣接する電極との間に電流が流れなくなる。したがって、電極Ｅ自体を取り巻く領域全体（図１にＲEで示す）は進行中の電気外科的プロセスから全く「切り離される」。ところが、実際にはこの領域全体にわたる処置は完了しておらず、単に電極Ｅのごく近くだけが完了し、離れた区域はまだ完了していない。
【０００４】
更に、内部電極の付近が過度に乾燥すると周囲の組織が電極に強く癒着して、固くなった組織から電極を引き抜くのが困難になる。
以上のことから、電極を互いに近付けて用いる必要がしばしば起こる。
本発明は上に述べた欠点を発見したことに基づいている。
【課題を解決するための手段】
【０００５】
したがって、本発明が提示して解決する技術的問題は、従来の方法に関する上記の欠点を除くことのできる電気外科用の装置とこれに関連する方法を提供することである。      かかる問題は請求項１に記載の装置により解決される。
同じ新規な考えに従って、本発明は請求項２６に記載の方法に関係する。
本発明の好ましい機能は従属項に示されている。
【０００６】
本発明はいくつかの関係する利点を有する。
主な利点は、電極に電力を増分的に供給するので、本発明によれば中間の電極が非活動化されても組織を通る電流を保つことができることである。これは以下の詳細な説明からよく理解できる。
更に、電極間の電流が等しいので、各電極の付近の電流密度が（したがって過熱が）大幅に減る。
これにより、一層効果的な電気外科的処置を行って一層均一な結果を得ることができる。更に、従来の方法に比べて用いる電極の数を減らす（または結果は同じであるが、相互の距離を離して電極を配列する）ことができる。
【実施例】
【０００７】
図２に、本発明の或る実施の形態に係る電気外科用の装置を一般に１で示す。装置１は複数の、特に２，３，４，５で示す４個の隣接する電極を含む。この実施の形態では、電極２−５は一般に１０で示す櫛型装置の歯である。したがって、電極２−５は実質的に整列して配列され、図２では組織Ｔ内に挿入された動作状態の構成で示されている。
【０００８】
別の実施の形態では、独立した電極を、すなわち、同じ支持体に拘束されず、順番にではあるが必ずしも一直線には配列されていない電極を用いてもよい。もちろん電極の数も特定の処置の必要に応じて変ってよい。
【０００９】
一般に６で示す手段から電極２−５に電力を供給する。この手段６は、電気外科的電流を生成して電極の間に挟まれた組織部分を通る電気外科的電流の流れを誘導するのに適している。詳しく述べると、手段６は、各電極が一連の電極内の前の電極の電位より高い電位を有するように電極２−５に電力を供給する。したがって図２の実施の形態では、第２の電極３の電位Ｖ3は第１の電極２の電位Ｖ2より高い。同様にして、Ｖ3＜Ｖ4＜Ｖ5である。
【００１０】
用いる最適な増分値は逐次の電極間に形成されるインピーダンスによって変わる。したがって、
Ｚ2−3を電極２と３との間のインピーダンス、
Ｚ3−4を電極３と４との間のインピーダンス、
Ｚ4−5を電極４と５との間のインピーダンス、
および
Ｖ2−3をＶ3とＶ2との間の電位差
Ｖ3−4をＶ4とＶ3との間の電位差
Ｖ4−5をＶ5とＶ4との間の電位差
とすると、次式が得られる。
Ｖ2−3／Ｚ2−3＝Ｖ3−4／Ｚ3−4＝Ｖ4−5／Ｚ4−5＝Ｉ
したがって、電極２および５と全ての前記インピーダンス内では電流Ｉが得られるが、電極３および４では得られる電流はゼロである。当業者に周知のように、発電手段６は電極に交流電圧を与えるのに適している。
【００１１】
この実施の形態では、電極２−５の前記増分的な電力の供給は、隣接する電極２−３，３−４，４−５の各対を手段６のそれぞれの２次変圧器回路７−９の終端に接続することにより得られる。前記２次変圧器回路７−９は共通の１次回路１１から電力の供給を受ける。これらの回路は当業者に周知なので、図２には例として簡単に示した。
【００１２】
本発明の別の実施の形態では、隣接する電極の対毎に、直列に接続された別個の電流生成器から電極に電力を供給して電極間の電位の差を個別に簡単に調整できるようにして、個々の組織部分の間のインピーダンスに差があっても種々の組織区分内を流れる電流の強さが変らないようにする。
【００１３】
装置１はまた、電極自体の周囲の組織領域の処置が完了したとき、発電手段６と各電極２−５とを選択的に接続／切断するのに適した活動化／非活動化手段１２を備える。これにより、処置された組織が過度に乾燥したために電極に過度に癒着するのを防ぎ、または特定の処置のニーズに合うようにする。前記活動化／非活動化手段１２は周知の方法で実現してよい（例えば、装置１の中央処理ユニットが制御する一組のスイッチを用いて、および／または操作員が直接に操作することにより）ので詳細な説明は省く。
【００１４】
図３Ａは、例えば処置を開始したときに起こるような、同時に活動化した構成の電極２−５を示す。主な電流の流れは隣接する電極２−３，３−４，４−５の各対の間の流れであって、Ｉ1，Ｉ2，Ｉ3でそれぞれ示す。
【００１５】
図３Ｂは、中間の電極（例えば、電極３）が非活動化されたときの電流開始の別の構成の概要を示す。この図は単なる例であるが、ここに示すようにこの状態でも電極３自体の周囲の領域内に電気外科的電流Ｉ4を保つことができる。実際のところ、非活動化された電極３の直前の電極２と直後の電極４との間に電極自体に増分的に電力を供給することにより、電気外科的電流が流れ始める。これにより、関係する領域の処置を完了することができる。更に、一連の電極の２つの隣接する電極(例えば、電極３および４)が非活動化された場合でも前記電流を保つことができる。この場合は、ここで取り上げた例では、電気外科的電流は端の電極２と５との間に流れる。
【００１６】
最後に、装置１は前に処置に用いた強さより大きな強さを有する電流のパルスを電極２−５に供給するのに適した手段も提供する。これは一般に処置の終わりに、得られた結果をしっかり安定させ、処置中にはその凝固（ｃｏａｇｕｌａｔｉｏｎ）を予め行わなかった例えば直径の大きな血管を閉塞させる（ｏｂｌｉｔｅｒａｔｅ）。
【００１７】
図４Ａおよび図４Ｂに示す第２の実施の形態では、一般に１３で示す二次元の櫛型電極を用いる。詳しく述べると、この実施の形態の櫛型電極１３は、１４，１５，１６，１７，１８，１９，２０，２１でそれぞれ示す８個の電極で構成する。この場合は、３個の隣接電極のグループが実質的に二等辺三角形すなわち等辺三角形の頂点を定義するように配列する。これにより、電極１４−２１を直線に配列するのではなく、二次元の構成にして実際に二次元の切除を行うことができる。前記電極１４−２１に本発明の増分電圧を与える。詳しく述べると、各対１４−１５，１７−１８，２０−２１の電極にそれぞれの共通電圧Ｖ45，Ｖ78，Ｖ01を与え、中間の電極１６および１９にそれぞれの電圧Ｖ16およびＶ19を与えて、
Ｖ45＜Ｖ16＜Ｖ78＜Ｖ19＜Ｖ01
にする。
【００１８】
この電極構成では長方形の平面図を持つ実質的に長方形または平行六面体形状の凝固組織部分を得ることができるが、直線に並んだ（整列した）電極を有する櫛型では、電極自体を２回続けて並列に当てることにより得られる切除の平面図は楕円形になる。したがって、ここに提案する２次元構成を用いると、直線の櫛型の場合より均一な幅の凝固組織が得られる。直線の櫛型では、端部の幅は中心の幅より小さくなる傾向がある。他の要素に関しては、この実施の形態の装置は図１から図３Ｂに関して上に述べた装置と同様である。
【００１９】
上に述べた２つの実施の形態と同じ考え方の図６に示す別の実施の形態では、本発明の装置は処置中に各電極から送られる電流の強さを測定する手段１００を備えてよい。図６では、電気外科的電流を生成する手段および電極は第１の実施の形態の場合と同様なので、同じ参照番号６および２−５でそれぞれ示した。
手段１００は各電極２−５と電流生成手段６との接続部に設けられる電流変成器で実現してよい。
手段１００は連続的にまたは操作員が随意に設定できる予め決められた時間間隔で測定を行ってよい。
【００２０】
好ましくは、測定手段１００は、対応する検出された電流強さが予め決められたしきい値より低いとき電極２−５を電流生成手段６から自動的に切り離すのに適した、装置の制御ユニットまたは制御手段１０１に接続する。詳しく述べると、前記しきい値は予見されまたは到達する電流の最大値より予め設定された値だけ低い値でよい。その理由は、前に示したように、各電極に関する電流強さの低下は、電極自体の近くの組織が乾燥するために起こるインピーダンスの増加に関係するからである。したがって、電極を生成手段から適時に切り離すことにより、電極が組織に過度に癒着するのを防ぎ、したがって処置が終わったときに電極を引き抜きやすくすることができる。
【００２１】
前記切り離しは、電極２−５と制御ユニット１０１との各電気的接続部に設けられた一組にスイッチ１０２−１０５により行ってよい。
各電極から送られる電流を前記のように連続的に測定することにより、前記送られる電流が少なくとも予め決められた値および随意に予め設定された最小値に達しないときにも電極自体を切り離すことができる。これにより、自発的に、または例えば処置する組織の長さより測定器の長さが長いために誤って、組織内に実際に挿入されていない電極を前記制御ユニットまたは手段１０１により随意に自動的に切り離すことができる。この切り離しも一組のスイッチ１０２−１０５により行ってよい。
また図６に示すように、制御ユニット１０１は各電極２−５で測定された電流に関する出力を、例えばグラフの形で操作員に提供してよい。
【００２２】
上に述べたものと同じ考え方の図５Ａおよび図５Ｂに示す本発明の別の実施の形態では、この装置は電極を挿入しやすくする滑りガイド２９を備える。この図の実施の形態では電極は６本で、数字２２から２７でそれぞれ示す。前記電極２２−２７はこの例でも櫛型装置（２８で示す）の歯である。ガイド２９は複数の貫通座を有する。詳しく述べると、これは数字２２１から２７１でそれぞれ示す６個の座で、各電極２２−２７を受けるのに適している。
【００２３】
組織Ｔ内に挿入している間、ガイド２９は電極を実質的に平行な位置に保つことにより、電極が曲がって隣接する電極の対の間の相対的距離が変るのを防ぐ。この実施の形態では、ガイド２９は整列した電極２２−２７を平行に保つのに適している。
更に、図５Ａおよび図５Ｂに示す別の実施の形態では、保護部品３０で保護された指により実質器官の底を支えるようになっている。これも電極２２−２７の組織Ｔ内への挿入を容易にする。部品３０は好ましくは小片であって、３１および３２でそれぞれ示す１対の薄い並んだ要素で構成し、各要素は指を受けるのに適した湾曲した輪郭を有し、実質的に指の外形を再現する。好ましくは図５Ｂに示すように、前記要素３１および３２は人差し指および中指を受けるのに適した形を有する。
【００２４】
要素３１および３２は、生体に適合する絶縁材料（例えば、ＡＢＳ）で作られ、好ましくは少なくとも１００℃まで耐えて輸送中にそのままの形に保てるようにする。
部品３０は操作員の指を保護するだけでなく、挿入した組織から電極２２−２７が突き出して下の組織を思いがけなく刺すことのないように保護して、この目的に適した手段を実現する。更に、部品３０は前記下側の組織の加熱も防ぐ。
したがって、ガイド２９および部品３０は、共同でも個別でも、電極を組織内に挿入しやすくまた安全にする手段を実現することが理解される。前記ガイド２９および部品３０は、ここに述べた本発明の装置とは無関係に、個別におよび随意に用いてよくまた考慮してよい。
上に述べたように、部品３０は、処置する組織内に電極２２−２７を挿入することにより、手術に関係する下側の組織を刺して痛めるのを防ぐのに適した手段も実現する。
【００２５】
本発明は更に、順番に配列して電力を供給する複数の隣接する電極（例えば、上に述べたもの）を用いて、電極の間に挟まれた組織部分を通る電気外科的電流の流れを誘導する電気外科処置を行う方法に関する。すでに述べたように、装置１に関して上に示したモードに従って前記電極に電力を供給すると、各電極は一連の電極内の前の電極の電位より高い電位を有する。もちろん、この方法は上に述べた装置により実現することができる。
【００２６】
本発明について、その好ましい実施の形態を参照して説明した。理解されるように、同じ新規な原理から導かれる他の実施の形態があってよく、全ては以下の特許請求の範囲内に含まれる。
【図面の簡単な説明】
【００２７】
本発明の他の利点、特徴、および使用モードは、制限されない例として示されているいくつかの実施の形態に関する詳細な説明から明らかになる。以下の図面の各図を参照していただきたい。
【図１】電気外科用の周知の装置の略図を示す。
【図２】本発明に係る電気外科用の装置の或る実施の形態の略図を示す。
【図３Ａ】図２の装置の電極の第１の動作状態の構成の略図を示す。
【図３Ｂ】図２の装置の電極の第２の動作状態の構成の例の略図を示す。
【図４Ａ】本発明の第２の実施の形態の電極構成の略斜視図を示す。
【図４Ｂ】本発明の第２の実施の形態の電極構成の略平面図を示す。
【図５Ａ】手術中の図１または図４Ａの装置の追加の随意の部品の側面斜視図を示す。
【図５Ｂ】手術中の図１または図４Ａの装置の追加の随意の部品の正面斜視図を示す。
【図６】本発明に係る電気外科用の装置の別の実施の形態の略図を示す。
【図１】
2008521469.tif 000003
【図２】
2008521469.tif 000004
【図３Ａ】
2008521469.tif 000005
【図３Ｂ】
2008521469.tif 000006
【図４Ａ】
2008521469.tif 000007
【図４Ｂ】
2008521469.tif 000008
【図５Ａ】
2008521469.tif 000009
【図５Ｂ】
2008521469.tif 000010
【図６】
2008521469.tif 000011
【国際調査報告】
2008521469.tif 000012
2008521469.tif 000013
2008521469.tif 000014
2008521469.tif 000015